(57)【要約】【課題】ビームスポット径の縮小化を可能にした電子銃を提供する。【解決手段】ユニポテンシャル型の３ビーム単電子銃であって、第２電極Ｇ２　と第３電極Ｇ３　が、センタービーム透過孔を形成した面２２Ｇ　、２３Ｇ　をカソードＫ側に突出させた凸型形状に形成されて成る。【選択図】　　　　図２
2004039300.tif 000002
【特許請求の範囲】
【請求項１】
ユニポテンシャル型の３ビーム単電子銃であって、
第２電極と第３電極が、センタービーム透過孔を形成した面をカソード側に突出させた凸型形状に形成されて成る
ことを特徴とする陰極線管用電子銃。
【請求項２】
前記第２電極及び前記第３電極のサイドビーム透過孔を形成した面が、カソード側とは反対側に傾斜して形成されて成る
ことを特徴とする請求項１記載の陰極線管用電子銃。
【請求項３】
前記第２電極と前記第３電極との間で形成される各電子ビームに対する電界が、平行電界である
ことを特徴とする請求項１記載の陰極線管用電子銃。
【請求項４】
前記第２電極のビーム透過孔を形成した面の形状と、前記第３電極のビーム透過孔を形成した面の形状とが、相似形である
ことを特徴とする請求項１記載の陰極線管用電子銃。
【請求項５】
第２電極と第３電極が、センタービーム透過孔を形成した面をカソード側に突出させた凸型形状に形成されてなるユニポテンシャル型の電子銃を、備えて成る
ことを特徴とする陰極線管。
【請求項６】
前記電子銃における前記第２電極及び前記第３電極のサイドビーム透過孔を形成した面が、カソード側とは反対側に傾斜して形成されて成る
ことを特徴とする請求項５記載の陰極線管。
【請求項７】
前記電子銃における前記第２電極と前記第３電極との間で形成される各電子ビームに対する電界が、平行電界である
ことを特徴とする請求項５記載の陰極線管。
【請求項８】
前記電子銃における前記第２電極のビーム透過孔を形成した面の形状と、前記第３電極のビーム透過孔を形成した面の形状とが、相似形である
ことを特徴とする請求項５記載の陰極線管。
【発明の詳細な説明】
【０００１】
【発明の属する技術分野】
本発明は、陰極線管用電子銃、及びこの電子銃を備えた陰極線管に関する。
【０００２】
【従来の技術】
図１１は、カラー陰極線管用の３ビーム単電子銃を示す。この３ビーム単電子銃１は、赤（Ｒ）、緑（Ｇ）及び青（Ｂ）に対応する３つのカソードＫ〔ＫＲ　，ＫＧ　，ＫＢ　〕に対して共通となるように、同軸上に第１電極Ｇ１　、第２電極Ｇ２　、第３電極Ｇ３　、第４電極Ｇ４　及び第５電極Ｇ５　が順次配列され、第５電極Ｇ５　の後段に４枚の偏向板Ｃ１　，Ｃ２　，Ｃ３　及びＣ４　からなる静電コンバージェンス手段Ｃが配置されて成る。第５電極Ｇ５　と第３電極Ｇ３　にはアノード電圧が供給され、第４電極Ｇ４　にはフォーカス電圧が供給され、第３電極Ｇ３　と第４電極Ｇ４　と第５電極Ｇ５　とによりユニポテンシャル型の主電子レンズＬＭ　が形成される。第２電極Ｇ２　には所要の低電圧、例えば６００Ｖ程度が供給され、第１電極Ｇ１　には例えば０Ｖが供給される。静電コンバージェンス手段Ｃを構成する内側の偏向板Ｃ２　，Ｃ３　にはアノード電圧が供給され、外側の偏向板Ｃ１　，Ｃ４　にはアノード電圧より２〜３ｋＶ低いコンバージェンス電圧が供給される。
【０００３】
各カソードＫＲ　，ＫＧ　，ＫＢ　は、これより出射した各電子ビームが主電子レンズＬＭ　に中心に向かうように互いに同一平面内で傾斜して配置される。これに伴って、第１電極Ｇ１　の第２電極Ｇ２　と対向する面は、センタービーム（緑ビーム）ＢＧ　のビーム透過孔ｈ１Ｇが形成された面がカソードＫ側に突出するように凹型形状をなすと共に、サイドビーム（赤ビーム、青ビーム）ＢＲ　，ＢＢ　のビーム透過孔ｈ１Ｒ，ｈ１Ｂが形成された面が傾斜するように形成される。この第１電極Ｇ１　の面に対応するように、第２電極Ｇ２　ではセンタービームＢＧ　のビーム透過孔ｈ２Ｇが形成された面が第１電極Ｇ１　側に突出するように凸型形状をなすと共に、サイドビームＢＲ　，ＢＢ　のビーム透過孔ｈ２Ｒ，ｈ２Ｂが形成された面が傾斜するように形成される。第３電極Ｇ３　の第２電極Ｇ２　に対向する面、即ちセンタービームＢＧ　、サイドビームＢＲ　，ＢＢ　の各ビーム透過孔ｈ３Ｇ，ｈ３Ｒ，ｈ３Ｂが形成された面は、平面に形成される。
【０００４】
この３ビーム単電子銃１では、各カソードＫＲ　，ＫＧ　，ＫＢ　から出射した電子ビームＢＲ　，ＢＧ　，ＢＢ　が主電子レンズＬＭ　のほぼ中心で一旦交差して静電コンバージェンス手段Ｃに入る。センタービームＢＧ　は偏向板Ｄ２　とＣ３　間を直進し、サイドビームＢＲ　は偏向板Ｃ３　とＣ４　間で偏向され、サイドビームＢＢ　は偏向板Ｃ１　とＣ２　間で偏向され、画面（図示せず）上で３つの電子ビームＢＲ　，ＢＧ　，ＢＢ　が１点に集中（コンバージェンス）される。
【０００５】
ここで、図１２の要部の拡大図で示すように、３ビーム単電子銃の電極形状としては、第２電極Ｇ２　が凸型形状で、第３電極Ｇ３　の第２電極Ｇ２　の対向面が平面であるのが一般的である。また、主電子レンズＬＭ　で発生する像面湾曲収差（いわゆるサイドビームが主電子レンズＬＭ　の中心を角度をもって通過するので、センタービームよりも強い収束作用を受ける）を補正する目的で緑（Ｇ）対応するカソードＫＧ　を主電子レンズＬＭ　遠ざけるようにするため、第１電極Ｇ１　及び第２電極Ｇ２　の形状は、センタービーム透過孔ｈ１Ｇ，ｈ２Ｇが形成された面をカソードＫ側に突出するような凹型形状及び凸型形状となっている。即ち、センターカソードＫＧ　を主電子レンズＬＭ　から遠ざけることで、センタービームに対するフォーカス電圧を高め、センタービームとサイドビームに対するフォーカス電圧差を可及的に無くすようにして像面湾曲収差を補正している。
【０００６】
【発明が解決しようとする課題】
ところで、上述のユニポテンシャル型の３ビーム単電子銃１は、第３電極Ｇ３　にアノード電圧が供給されているので、カソード側物点を小さく絞ったまま電子ビームを大きく加速でき、空間電荷効果に起因する電子ビームの発散を抑制し、小さいビームスポット径が得られ、高ビーム電流域で良好な解像度が得られるという特徴がある。
近年の陰極線管の大画面・高精細化に対応するために、さらに第２電極Ｇ２　と第３電極Ｇ３　間の電界強度を強くし、更なるビームスポット径の縮小、輝度向上が望まれる。このためには、第２電極Ｇ２　と第３電極Ｇ３　間の距離を小さくする必要がある。
【０００７】
しかるに、前述したように、第２電極Ｇ２　が凸型形状であり、これに対する第３電極Ｇ３　の第２電極Ｇ２　の対向面が平面であることから、第２電極Ｇ２　及び第３電極Ｇ３　間の距離が、センタービームＢＧ　に対する電極間距離Ａ１　とサイドビームＢＲ　，ＢＢ　に対する電極間距離Ｂ１　とで大きく異なる。３色のうちセンタービームである緑ビームが最も明るいので、センタービームＢＧ　に対する電極Ｇ２　ーＧ３　間距離Ａ１　を小さくしようとしても最小電極パーツ間距離Ｄ１　が近づき過ぎてしまうので、耐電圧特性の悪化が懸念される。従って、センタービームＢＧ　に対する電極Ｇ２　ーＧ３　間距離Ａ１　をより小さくすることが出来ず、限界であった。
【０００８】
本発明は、上述の点に鑑み、大画面・高精細化に対応できるように、高輝度、高解像度化を可能にした陰極線管用電子銃、及びこの電子銃を備えた陰極線管を提供するものである。
【０００９】
【課題を解決するための手段】
本発明に係る陰極線管用電子銃は、ユニポテンシャル型の３ビーム単電子銃であって、第２電極と第３電極を、センタービーム透過孔の形成された面がカソード側に突出する凸型形状に形成した構成とする。
【００１０】
本発明の陰極線管用電子銃では、第２電極と第３電極が、センタービーム透過孔を形成した面をカソード側に突出させた凸型形状をなすので、少なくともセンタービームに関して第２電極と第３電極間の距離を小さくすることが可能になり、第２電極及び第３電極間の電界強度を強くすることができる。従って、空間電荷効果に起因する電子ビームの発散が抑制され、仮想物点径（つまりビームスポット径）が縮小される。ビーム電流の増加に伴うビームスポット径の増大を抑制でき、高ビーム電流域での解像度が向上する。
【００１１】
本発明に係る陰極線管は、第２電極と第３電極が、センタービーム透過孔の部分をカソード側に突出させた凸型形状に形成されてなるユニポテンシャル型の電子銃を、備えて成る。
【００１２】
本発明の陰極線管では、このような電子銃を備えるので、仮想物点径（つまりビームスポットサイズ径）が縮小し、画像の高輝度化、高解像度化が図れる。
【００１３】
【発明の実施の形態】
以下、図面を参照して本発明の実施の形態を説明する。
【００１４】
図１は、本発明のカラー陰極線管の一実施の形態を示す。
本実施の形態に係るカラー陰極線管１１は、陰極線管体（例えばガラス管体）１２のパネル１２Ｐの内面に赤（Ｒ）、緑（Ｇ）、青（Ｂ）の各色蛍光体層からなるカラー蛍光面１４が形成され、この蛍光面１４に対向して色選別機構１５が配置され、ネック部１２Ｎ内に後述する本発明によるユニポテンシャル型の３ビーム単電子銃１６が配置されて成る。管体２２の外側には、電子銃１６からの各色の電子ビームＢＲ　，ＢＧ　，ＢＢ　を水平、垂直方向に偏向させる偏向ヨーク１７が配置される。
【００１５】
このカラー陰極線管１１では、電子銃１６の各色に対応するカソードＫ〔ＫＲ　，ＫＧ　，ＫＢ　〕から出射された各電子ビームＢＲ　，ＢＧ　，ＢＢ　が複数の電極で形成された主電子レンズＬＭ　で収束され、蛍光面１４上でフォーカスされ、且つ集中（コンバージェンス）されて、赤、緑、青の各色蛍光体層に照射される。この電子ビームＢＲ　，ＢＧ　，ＢＢ　が偏向ヨーク１７によって水平、垂直方向に偏向されて所要のからー画像が表示される。
【００１６】
図２は、かかるカラー陰極線管１１におけるユニポテンシャル型の３ビーム単電子銃１６の一実施の形態を示す。本実施の形態に係る電子銃１６１は、赤（Ｒ）、緑（Ｇ）及び青（Ｂ）に対応する３つのカソードＫ〔ＫＲ　，ＫＧ　，ＫＢ　〕に対して共通となるように、同軸上に第１電極Ｇ１　、第２電極Ｇ２　、第３電極Ｇ３　、第４電極Ｇ４　及び第５電極Ｇ５　が順次配列され、第５電極Ｇ５　の後段に４枚の偏向板Ｃ１　，Ｃ２　，Ｃ３　及びＣ４　からなる静電コンバージェンス手段Ｃが配置されて成る。第５電極Ｇ５　と第３電極Ｇ３　にはアノード電圧が供給され、第４電極Ｇ４　にはフォーカス電圧が供給され、第３電極Ｇ３　と第４電極Ｇ４　と第５電極Ｇ５　とによりユニポテンシャル型の主電子レンズＬＭ　が形成される。第２電極Ｇ２　には所要の低電圧、例えば６００Ｖ程度が供給され、第１電極Ｇ１　には例えば０Ｖが供給される。静電コンバージェンス手段Ｃを構成する内側の偏向板Ｃ２　，Ｃ３　にはアノード電圧が供給され、外側の偏向板Ｃ１　，Ｃ４　にはアノード電圧より２〜３ｋＶ低いコンバージェンス電圧が供給される。
【００１７】
各カソードＫＲ　，ＫＧ　，ＫＢ　は、これより出射した各電子ビームＢＲ　，ＢＧ　，ＢＢ　が主電子レンズＬＭ　に中心に向かうように互いに同一平面内で傾斜して配置される。これに伴って、カップ状の第１電極Ｇ１　の第２電極Ｇ２　と対向する面は、センタービームＢＧ　のビーム透過孔ｈ１Ｇが形成された面がカソードＫ側に突出すると共に、サイドビームＢＲ　，ＢＢ　のビーム透過孔ｈ１Ｒ，ｈ１Ｂが形成された面が傾斜するように、凹型形状に形成される。この第１電極Ｇ１　の面に対応するように、カップ状の第２電極Ｇ２　の面２２では、センタービームＢＧ　のビーム透過孔ｈ２Ｇが形成された面２２Ｇ　が第１電極Ｇ１　側に突出すると共に、サイドビームＢＲ　，ＢＢ　のビーム透過孔ｈ２Ｒ，ｈ２Ｂが形成された面２２Ｒ　，２２Ｂ　が傾斜するように，第１電極Ｇ１　の面に平行した凸型形状に形成される（図３参照）。
【００１８】
そして、本実施の形態においては、特に、カップ状をなす第３電極Ｇ３　の第２電極Ｇ２　に対向する側の面２３を、第２電極Ｇ２　の第１電極Ｇ１　と対向する面２２の形状と相似形に凸型形状に形成される。即ち、第３電極Ｇ３　は、そのセンタービームＢＧ　のビーム透過孔ｈ３Ｇが形成された面２３Ｇ　を第２電極Ｇ２　側に突出すると共に、サイドビームＢＲ　，ＢＢ　のビーム透過孔ｈ３Ｒ，ｈ３Ｂが形成された面２３Ｒ　，２３Ｂ　を第２電極Ｇ２　の対応する面２２Ｒ　，２２Ｂ　と平行して傾斜するように、凸型形状に形成される（図３参照）。図２、図３の例では、第３電極Ｇ３　がその中央の凸状部分を第２電極Ｇ２　に内に挿入するように配置される。
【００１９】
本実施の形態に係る電子銃１６１によれば、第２電極Ｇ２　のビーム透過孔ｈ２Ｒ，ｈ２Ｇ，ｈ２Ｂが形成された面２２と、第３電極Ｇ３　のビーム透過孔ｈ３Ｒ，ｈ３Ｇ，ｈ３Ｂが形成された面２３とが、互いに凸型形状をなす相似形で形成されるので、第２電極Ｇ２　及び第３電極Ｇ３　間で形成される凸レンズ、即ち各電子ビームＢＲ　，ＢＧ　，ＢＢ　に対する電界は平行電界となる。そして、第３電極Ｇ３　はその中央の凸状部分を第２電極Ｇ２　内に挿入するように配置することが可能になるので、各電子ビームＢＲ　，ＢＧ　，ＢＢ　に対する第２電極Ｇ２　及び第３電極Ｇ３　間の距離Ａ２　、Ｂ２　を、図１２の従来よりも小さくすることができる。従って、第２電極Ｇ２　及び第３電極Ｇ３　間の電界強度を強くすることができ、空間電荷効果に起因する電子ビームＢＲ　，ＢＧ　，ＢＢ　の発散を抑制し、仮想物点径を縮小できる。これによって、ビーム電流の増加に伴うビームスポットサイズの増大を抑制し、高ビーム電流域で良好な解像度が得られる。
【００２０】
一方、図３に示すように、第２電極Ｇ２　と第３電極Ｇ３　間の最小電極パーツ間距離Ｄ２　は、電極Ｇ２　、Ｇ３　における凸状部分と傾斜部分との境界間での距離（＝Ｄ２　）で決定されるので、この最小電極パーツ間距離Ｄ２　を従来並かそれ以上に保ことができる。従って、耐電圧特性を悪化させることがない。さらに、第１電極Ｇ１　、第２電極Ｇ２　及び第３電極Ｇ３　が、そのビーム透過孔ｈ１　、ｈ２　、ｈ３　が形成された面を互いに相似形の凸型形状に形成されるので、センタービームＢＧ　とサイドビームＢＲ　，ＢＢ　との間で、カソードＫから主電子レンズＬＭ　までの距離の差を無くすことができ、主電子レンズＬＭ　で発生する像面湾曲収差の補正を従来通り行うことができる。
【００２１】
次に、本発明のフォーカス特性からみた効果を示す。
図４は、ビーム電流Ｉｋ（ｍＡ）と仮想物点径（いわゆるビームのクロオーバー点の径：ｍｍ）との関係をコンピュータシミュレーション結果により示す。同図において、曲線ａ１　は、電極Ｇ２　ーＧ３　間距離を４．６ｍｍとしたときの従来の電子銃の場合、曲線ｂ１　は、電極Ｇ２　ーＧ３　間距離を１．８ｍｍとしたときの本発明の電子銃の場合である。本発明の場合は、電極Ｇ２　ーＧ３　間距離の縮小に伴い、仮想物点径のビーム電流Ｉｋによる増分が小さく、また高ビーム電流での仮想物点径が従来に比べて約１５％縮小することが認められる。
【００２２】
図５は、電極Ｇ２　ーＧ３　間距離（ｍｍ）と主電子レンズＬＭ　へ入射する電子ビームの１／２発散角（度）の関係をコンピュータシミュレーション結果により示す。同図は第２電極Ｇ２　のビーム透過孔ｈ２　の孔径をパラメータとしている。曲線ｅ１　は孔径０．９ｍｍ、曲線ｅ２　は孔径０．７２ｍｍ、曲線ｅ３　は孔径０．６２ｍｍ、曲線ｅ４　は孔径０．５２ｍｍ、曲線ｅ５　は孔径０．４ｍｍの場合である。電極Ｇ２　ーＧ３　間距離の変化に対して、電極Ｇ２　のビーム透過孔ｈ２　の孔径を選択すると、組合せにより主電子レンズＬＭ　へ入射する発散角を所望の値にコントロールすることができる。
【００２３】
図６は、電極Ｇ２　の板厚（ｍｍ）と主電子レンズＬＭ　へ入射する電子ビームの１／２発散角（度）の関係をコンピュータシミュレーション結果により示す。同図ではビーム電流Ｉｋ＝５ｍＡにおいて、電極Ｇ２　ーＧ３　間距離を４．６ｍｍとしたときの従来例（曲線ａ２　）と、電極Ｇ２　ーＧ３　間距離を１．８ｍｍとしたときの本発明（曲線ｂ２　）を比較している。電極Ｇ２　のビーム透過孔ｈ２　の孔径と同様に、電極Ｇ２　ーＧ３　間距離の変化に対して、電極Ｇ２　の板厚を選択すると、組合せにより主電子レンズＬＭ　へ入射する発散角を所望の値にコントロールするとができる。
【００２４】
図７は、ビーム電流Ｉｋ（ｍＡ）と主電子レンズＬＭ　へ入射する電子ビームの１／２発散角（度）の関係のをコンピュータシミュレーション結果により示す。同図では電極Ｇ２　ーＧ３　間距離を４．６ｍｍとしたときの従来例（曲線ａ３　）と、電極Ｇ２　ーＧ３　間距離を１．８ｍｍとしたときの本発明（曲線ｂ３　）を比較している。電流Ｇ２　ーＧ３　間距離の縮小に伴う発散角変化を、前述した通り電流Ｇ２　のビーム透過孔ｈ２　の孔径、板厚を組み合わせることで調整する。発散角の大きさは画面センターと画面コーナのビームスポットのユニフォミティにより決定されるが、ここでは従来品並とした。
【００２５】
図８は、ビーム電流Ｉｋ（ｍＡ）と蛍光面上のビームスポットサイズ（ｍｍ）の関係を示す。同図は３６インチ相当の陰極線管での実験結果であり、電極Ｇ２　ーＧ３　間距離を４．６ｍｍとしたときの従来例（曲線ａ４　）と、電極Ｇ２　ーＧ３　間距離を１．８ｍｍとしたときの本発明（曲線ｂ４　）を比較している。前述の仮想物点径の縮小効果、及び発散角の最適化により、本発明は高電流域で従来品に比べて約８５％（縮小率約１５％）のスポットサイズとなっている。同一スポットサイズで比較したとき、本発明は従来よりビーム電流を上げることができ、輝度が向上する。逆に同一の輝度で比較したとき、本発明は従来よりスポットサイズを小さくすることができ、解像度が向上する。
【００２６】
上述の実施の形態によれば、各電子ビームＢＲ　，ＢＧ　，ＢＢ　に対する第２電極Ｇ２　と第３電極Ｇ３　間の距離を従来に比べて小さくすることができ、仮想物点径を縮小することができ、フォーカス特性を向上することができる。また、第２電極Ｇ２　と第３電極Ｇ３　間のいわゆる最小電極パーツ間距離を従来並、あるいはそれ以上に保ことができ、耐電圧特性を維持、あるいは向上することができる。主電子レンズの像面湾曲収差の補正は、従来通り可能になる。
従って、陰極線管において、より高輝度、高解像度が得られ、大画面、高精細化に対応できる。
【００２７】
図９は、本発明の電子銃の他の実施の形態を示す。同図はカソードＫ、第１電極Ｇ１　〜第３電極Ｇ３　の要部のみを示す。
本実施の形態に係る電子銃１６２は、カップ状の第１電極Ｇ１　の第２電極Ｇ２　と対向する側の面２４の形状を凹型形状にすると共に、カップ状の第２電極Ｇ２　の第１電極Ｇ１　と対向する側の面２２と、カップ状の第３電極Ｇ３　の第２電極Ｇ２　と対向する側の面２３とを互いに相似形の凸型形状に形成して構成される。即ち、第１電極Ｇ１　においては、第２電極Ｇ２　と対向する面２４のうち、センタービームＢＧ　のビーム透過孔ｈ１Ｇが形成された面２４Ｇ　をカソードＫ側へ突出するすると共に、サイドビームＢＲ　，ＢＢ　のビーム透過孔ｈ１Ｒ，ｈ１Ｂが形成された面２４Ｒ　，２４Ｂ　を上記センターの面２４Ｇ　と平行するように、凹型形状に形成される。第２電極Ｇ２　は、第１電極Ｇ１　の面形状に倣うように、センタービームＢＧ　のビーム透過孔ｈ２Ｇが形成された面２２Ｇ　を第１電極Ｇ１　側に突出すると共に、サイドビームＢＲ　，ＢＢ　のビーム透過孔ｈ２Ｒ，ｈ２Ｂが形成された面２２Ｒ　，２２Ｂ　を上記センターの面２２Ｇ　に平行するように，凸型形状に形成される。第３電極Ｇ３　も、第２電極Ｇ２　と同様にセンタービームＢＧ　のビーム透過孔ｈＧ　が形成された面２３Ｇ　を第１電極Ｇ１　側に突出すると共に、サイドビームＢＲ　，ＢＢ　のビーム透過孔ｈ３Ｒ，ｈ３ｂが形成された面２３Ｒ　，２３Ｂ　を上記センターの面２３Ｇ　に平行するように、凸型形状に形成される。カソードＫ〔ＫＲ　，ＫＧ　，ＫＢ　〕は、第１電極Ｇ１　内に各ビーム透過孔ｈ１Ｒ，ｈ１Ｇ，ｈ１Ｂが形成された面２４に対向して、同一面内で平行して配置される。
その他の電極構造等の構成は図２と同様であるので重複説明を省略する。
【００２８】
図１０は、比較のための参考例を示す。本参考例では、第３電極Ｇ３　が第２電極Ｇ２　と対向する側の面２３を平坦面にして形成される。それ以外のカソードＫ、第１電極Ｇ１　及び第２電極Ｇ２　の構成は図９と同様である。
【００２９】
図９の本実施の形態に係る電子銃によれば、第２電極Ｇ２　と第３電極Ｇ３　間の最小電極パーツ間距離Ｄ３　は、図１０の参考例と同様に第２電極Ｇ２　及び第３電極Ｇ３　の両端部間の距離で決められるが、第３電極Ｇ３　が凸型形状であるので、センタービームＢＧ　に関して電極Ｇ２　ーＧ３　間距離Ａ３　を小さくすることができ、電界強度を強くすることができる。従って、センタービームＢＧ　の発散を抑制し、仮想物点径の縮小効果がもたらされ、ビーム電流の増加に伴うスポットサイズの増大を抑制することができ、高ビーム電流域で良好な解像度が得られる。
【００３０】
【発明の効果】
本発明に係る陰極線管用電子銃によれば、少なくともセンタービームに対して第２電極と第３電極間の距離を小さくすることができ、第２電極と第３電極間の電界強度を強めてビームスポットサイズを縮小することが可能になり、フォーカス特性を向上することができる。ビーム電流の増加に伴うスポットサイズの増大を抑制し、高ビーム電流域で良好な解像度が得られる。スポットサイズを従来並としたときには輝度を向上することができる。
第２電極と第３電極を、そのセンタービーム透過孔を形成した面をカソード側に突出し、サイドビーム透過孔を形成した面を傾斜した凸型形状に形成したときには、３つの電子ビームに対してフォーカス特性を向上し、また輝度を向上することができる。
第２電極と第３電極との間で形成される各電子ビームに対する電界を平行電界とすることにより、３つのビームに対する電界作用が同じになり、３つの電子ビームへの電界強度を揃えることができる。
さらに、第２電極のビーム透過孔が形成された面と、第３電極のビーム透過孔が形成された面とを互いに相似形とすることにより、３つの電子ビームへの電界強度が揃えられ、３つの電子ビームに対してフォーカス特性を向上し、また輝度を向上することができる。
【００３１】
本発明に係る陰極線管によれば、上記電子銃を備えることにより、高解像度、高輝度の画像を得ることができ、大画面、高精細化の陰極線管に適用して好適ならしめる。
【図面の簡単な説明】
【図１】本発明の陰極線管の一実施の形態を示す構成図である。
【図２】本発明の電子銃の一実施の形態を示す構成図である。
【図３】図２の電子銃の要部の拡大図である。
【図４】本発明の説明に供するビーム電流と仮想物点径との関係を示すグラフである。
【図５】本発明の説明に供する第２電極のビーム透過孔径をパラメータとした第２ー第３電極間距離と１／２発散角との関係を示すグラフである。
【図６】本発明の説明に供する第２電極の板厚と１／２発散角との関係を示すグラフである。
【図７】本発明の説明に供するビーム電流と１／２発散角との関係を示すグラフである。
【図８】本発明の説明に供するビーム電流とスポットサイズとの関係を示すグラフである。
【図９】本発明に係る電子銃の他の実施の形態を示す要部の構成図である。
【図１０】参考例の電子銃の要部の構成図である。
【図１１】従来の電子銃の構成図である。
【図１２】図１１の電子銃の要部の拡大図である。
【符号の説明】
１１・・・カラー陰極線管、１２・・・管体、１２Ｐ・・・パネル、１２Ｎ・・・ネック部、１４・・・カラー蛍光面、１５・・・色選別機構、１６、１６１、１６２・・・電子銃、１７・・・偏向ヨーク、Ｋ〔ＫＲ　，ＫＧ　，ＫＢ　〕・・・カソード、Ｇ１　〜Ｇ５　・・・電極、Ｃ・・・静電コンバージェンス手段、２２〔２２Ｒ　，２２Ｇ　，２２Ｂ　〕・・・第２電極の面、２３〔２３Ｒ　，２３Ｇ　，２３Ｂ　〕・・・第３電極の面、２４〔２４Ｒ　，２４Ｇ　，２４Ｂ　〕・・・第１電極の面
【図１】
2004039300.tif 000003
【図２】
2004039300.tif 000004
【図３】
2004039300.tif 000005
【図４】
2004039300.tif 000006
【図５】
2004039300.tif 000007
【図６】
2004039300.tif 000008
【図７】
2004039300.tif 000009
【図８】
2004039300.tif 000010
【図９】
2004039300.tif 000011
【図１０】
2004039300.tif 000012
【図１１】
2004039300.tif 000013
【図１２】
2004039300.tif 000014